(57)【要約】【課題】照明装置が照明する空間領域内の場所毎に照明の方法を異ならせる。【解決手段】照明装置１０は、室空間等の空間領域を照明する照明装置である。照明装置１０は、照明光を生成するための光源１１と、光源１１が射出した光を画像情報に基づいて変調する光変調素子としての画素１００、を含む電気光学パネル１２と、前記空間領域に対応した画像情報を設定する設定部と、前記設定部が設定した画像情報に基づいて前記射出した光を変調するように、画素１００を駆動する駆動部と、電気光学パネル１２の画素１００により変調された光を照明光として、前記空間領域を構成する所定面上へ投射する投射レンズ１３とを備える。【選択図】図２
2015072416.tif 000002
【特許請求の範囲】
【請求項１】
所定の空間領域を照明する照明装置であって、
照明光を生成するための光源と、
前記光源が射出した光を画像情報に基づいて変調する光変調素子と、
前記空間領域に対応した画像情報を設定する設定部と、
前記設定部が設定した画像情報に基づいて前記射出した光を変調するように、前記光変調素子を駆動する駆動部と、
前記光変調素子により変調された光を照明光として、前記空間領域を構成する所定面上に投射する投射レンズと
を備える照明装置。
【請求項２】
前記設定部は、
前記所定面上の前記照明光が投射される複数の照明領域の照明領域毎に、明るさ又は色を指定した前記画像情報を設定する
ことを特徴とする請求項１に記載の照明装置。
【請求項３】
前記空間領域における所定の事象の発生を検知する検知部を備え、
前記設定部は、
前記検知部により前記事象の発生が検知された場合、前記空間領域に対応した画像情報を変更する
ことを特徴とする請求項１又は請求項２に記載の照明装置。
【請求項４】
商用電源から電力の供給を受けて動作する第１モードと、電池からの電力の供給を受けて動作する第２モードとの一方を選択して、自照明装置の電源制御を行う電源制御部であって、
前記第１モードの選択中に、前記検知部により前記事象の発生が検知された場合、前記第２モードの選択に変更する電源制御部
を備えることを特徴とする請求項３に記載の照明装置。
【請求項５】
前記照明光の総光束が、５ルーメン以上である
ことを特徴とする請求項１から請求項４のいずれか１項に記載の照明装置。
【請求項６】
天井、側壁面及び床面に囲まれた前記空間領域を照明するように設置され、
前記光源、前記光変調素子及び前記投射レンズが、
前記天井又は前記側壁面から前記床面の方向に、前記照明光を射出するように配置される
ことを特徴とする請求項１から請求項５のいずれか１項に記載の照明装置。
【請求項７】
外部装置と通信する通信部を備え、
前記設定部は、
前記通信部により受信した画像情報を、前記空間領域に対応した画像情報に設定する
ことを特徴とする請求項１から請求項６のいずれか１項に記載の照明装置。
【発明の詳細な説明】
【技術分野】
【０００１】
本発明は、室空間等の空間領域を照明する照明装置に関する。
【背景技術】
【０００２】
投射型（投影型）の映像表示装置を、映像表示だけでなく照明として使用する技術が、特許文献１から特許文献３に開示されている。特許文献１は、プロジェクションＴＶを天井に設置して、テレビ画面を映像表示に使用したり、照明として使用したりすることを開示している。特許文献２は、電球ソケットに対して着脱自在に構成され、当該電球ソケットを介して電力を取得するプロジェクターを開示している。特許文献３は、寝室内で寝ているユーザを光照射により覚醒させるように、設定された起床時刻に光源手段を作動させて、起床対象者に光照射を行うプロジェクターを開示している。これらとは別の発明として、特許文献４は、上向き光を投射する姿勢で発光ダイオードを配置することにより、発光光が明るくなり過ぎないようにした常夜灯を開示している。
【先行技術文献】
【特許文献】
【０００３】
【特許文献１】特開昭６３−１２５０６３号公報
【特許文献２】特開２００６−２２７１４３号公報
【特許文献３】特許第４８２３７２３号公報
【特許文献４】特開２００３−３０８７１０号公報
【発明の概要】
【発明が解決しようとする課題】
【０００４】
特許文献１から特許文献４に開示された技術では、照明光を拡散して空間領域を照明することに加えて、照射光の回り込みが多く発生するので、広範囲をほぼ均一な明るさとするように照明することができる。しかし、特許文献１から特許文献４に開示された技術では、例えば、照明装置が照らす空間領域内の特定の場所に局所的に照明することに加え、同空間領域内の他の場所を別の光で局所的に照明するという具合に、空間領域内の場所毎に、照明の方法を指定することができない。また、異なる照明光で照明する複数の照明装置を、同一の空間領域内に設置することは、設置場所の確保やコスト面に照らして現実的でない場合がある。
本発明は、上述した事情に鑑みてなされたもので、その目的の一つは、照明装置が照明する空間領域内の場所毎に照明の方法を異ならせることである。
【課題を解決するための手段】
【０００５】
上記目的を達成するために、本発明に係る照明装置は、所定の空間領域を照明する照明装置であって、照明光を生成するための光源と、前記光源が射出した光を画像情報に基づいて変調する光変調素子と、前記空間領域に対応した画像情報を設定する設定部と、前記設定部が設定した画像情報に基づいて前記射出した光を変調するように、前記光変調素子を駆動する駆動部と、前記光変調素子により変調された光を照明光として、前記空間領域を構成する所定面上に投射する投射レンズとを備える。
この発明によれば、空間領域に対応して設定した画像情報に基づいて光変調素子を駆動し、光源が射出した光を変調することによって照明光を生成するので、照明装置が照明する空間領域内の場所毎に照明の方法を異ならせることができる。
【０００６】
本発明に係る照明装置において、前記設定部は、前記所定面上の前記照明光が投射される複数の照明領域の照明領域毎に、明るさ又は色を指定した前記画像情報を設定するようにしてもよい。
この発明によれば、空間領域を構成する所定面上の照明領域毎に明るさ又は色を指定することができる。
【０００７】
本発明に係る照明装置において、前記空間領域における所定の事象の発生を検知する検知部を備え、前記設定部は、前記検知部により前記事象の発生が検知された場合、前記空間領域に対応した画像情報を変更するようにしてもよい。
この発明によれば、空間領域における所定の事象の発生の有無に応じて照明の方法を異ならせることができる。
【０００８】
本発明に係る照明装置において、商用電源から電力の供給を受けて動作する第１モードと、電池からの電力の供給を受けて動作する第２モードとの一方を選択して、自照明装置の電源制御を行う電源制御部であって、前記第１モードの選択中に、前記検知部により前記事象の発生が検知された場合、前記第２モードの選択に変更する電源制御部を備えるようにしてもよい。
この発明によれば、商用電源からの電力の供給を受けることができなくなる事象が発生した場合であっても、空間領域を継続して照明することができる。
【０００９】
本発明に係る照明装置において、前記照明光の総光束が、５ルーメン以上としてもよい。
この発明によれば、総光束が５ルーメン以上の照明光で空間領域を照明する場合に、空間領域内の場所毎に照明の方法を異ならせることができる。
【００１０】
本発明に係る照明装置において、天井、側壁面及び床面に囲まれた前記空間領域を照明するように設置され、前記光源、前記光変調素子及び前記投射レンズが、前記天井又は前記側壁面から前記床面の方向に、前記照明光を射出するように配置されるようにしてもよい。
この発明によれば、室空間の床面に向けて照明することにより、利用者が歩行する場所毎に照明の方法を異ならせることができる。
【００１１】
本発明に係る照明装置において、外部装置と通信する通信部を備え、前記設定部は、前記通信部により受信した画像情報を、前記空間領域に対応した画像情報に設定するようにしてもよい。
この発明によれば、外部装置から受信した画像情報を空間領域に対応する画像情報として設定して、当該空間領域内の場所毎に照明の方法を異ならせることができる。
【図面の簡単な説明】
【００１２】
【図１】本発明の一実施形態に係る照明装置の構成を示す図。
【図２】同実施形態に係る照明装置が備える光学系の説明図。
【図３】同実施形態に係る照明装置が備える電気光学パネルの画素の構成の説明図。
【図４】同実施形態に係る照明装置の電気的構成を示すブロック図。
【図５】同実施形態に係る照明装置で実行される処理の流れを示すフローチャート。
【図６】同実施形態に係る照明装置が設置される室空間の説明図。
【図７】同実施形態に係る照明装置により照明された室空間を説明する図。
【図８】同実施形態に係る照明装置で実行される処理の流れを示すフローチャート。
【図９】同実施形態に係る照明装置により照明された室空間を説明する図。
【発明を実施するための形態】
【００１３】
以下、本発明の実施の形態について図面を参照しつつ説明する。
図１は、本発明の一実施形態に係る照明装置１０の構成を示す図である。図１（ａ）には、照明装置１０の外観構成が示されている。図１（ｂ）には、照明装置１０が設置された室空間Ｓが示されている。
図１（ａ）に示すように、照明装置１０は、居室等の室空間で用いられる汎用の常夜灯と同等の外観構成であり、ここでは電球形状である。照明装置１０は、ここでは常夜灯として使用され、室空間Ｓに居る人物の就寝中に室空間Ｓを照明する。
照明装置１０は、商用電源から電力の供給を受けるための口金１０Ａを備える。口金１０Ａは、汎用の電球ソケットに着脱可能なソケット装着部である。図１（ｂ）に示すように、室空間Ｓは、天井Ｃ、側壁部Ｗ及び床部Ｆによって囲まれた、例えば立方体又は直方体形状の空間領域である。天井Ｃに設けられた電球ソケット（図示略）に口金１０Ａが装着されることにより、照明装置１０が天井Ｃに設置される。この場合、照明装置１０は、天井Ｃから見て床面Ｆの方向に、照明光を射出する。
【００１４】
図２は、照明装置１０が備える光学系を説明する図である。図２に示すように、照明装置１０は、光源１１と、電気光学パネル１２と、投射レンズ１３とを備える。図３は、電気光学パネル１２が備える画素（後述する画素１００）の構成を説明する図である。
光源１１は、照明光を生成するための光源である。ここでは、光源１１は、白色の光を射出する発光ダイオード（ＬＥＤ；Light Emitting Diode）である。照明装置１０が射出する光の総光束は、例えば５ルーメン以上である。この総光束の大きさは一例であり、例えば汎用の常夜灯と同等の大きさでよい。
【００１５】
電気光学パネル１２は、光源１１が射出した光が入射する透過型の液晶パネルである。図３に示すように、電気光学パネル１２は、光変調素子としての画素１００が列方向及び行方向にマトリクス状に配列した光変調器である。画素１００の各々は、光源１１が射出した照明光を照明情報に基づいて変調（つまり空間変調）する。画素１００の各々は、赤（Ｒ）色に対応するサブ画素１００Ｒと、緑（Ｇ）色に対応するサブ画素１００Ｇと、青（Ｂ）色に対応するサブ画素１００Ｂとで構成される。照明情報は、Ｒ色、Ｇ色及びＢ色の三原色の各色成分の階調（明るさ）を、画素１００毎に指定した画像情報である。サブ画素１００Ｒ、１００Ｇ及び１００Ｂの各々を透過する光は、各サブ画素に設けられたカラーフィルターによって着色される。
なお、光源１１と電気光学パネル１２との間には、汎用のプロジェクターで用いられる集光光学系が配置されてもよい。
【００１６】
投射レンズ１３は、例えば凸レンズを備え、電気光学パネル１２の画素１００で変調された光を、室空間Ｓを構成する所定面へ照明光として投射する。例えば、投射レンズ１３は、室空間Ｓを構成する床面Ｆ上、又は、床面Ｆに置かれた家具等の物体上に照明光を投射する。
【００１７】
照明装置１０は、例えば、図２に示す照明対象領域Ｔ内に照明光を投射する。照明対象領域Ｔは、例えば床面Ｆと同等の範囲の領域であるが、床面Ｆよりも広い又は狭い領域であってもよい。
図２に示す例では、照明対象領域Ｔは、照明領域Ｔ１，Ｔ２，Ｔ３及びＴ４と、非照明領域Ｔｂとで構成される。照明装置１０は、照明領域Ｔ１，Ｔ２，Ｔ３及びＴ４と、非照明領域Ｔｂとの各々で、明るさ及び色を異ならせることができる。詳しくは後述するが、照明装置１０は、光源１１が射出した光を、電気光学パネル１２の画素１００で変調する。ここにおいて、照明領域Ｔ１，Ｔ２，Ｔ３及びＴ４は、投射レンズ１３が照明光を投射する領域、すなわち、照明装置１０の照明光が到達する領域である。非照明領域Ｔｂは、照明対象領域Ｔにおける照明光を投射しない領域である。
以上のことから、照明情報は、照明対象領域Ｔにおける照明領域毎に明るさ及び色を指定した画像情報といえる。
【００１８】
図４は、照明装置１０の電気的構成を示すブロック図である。
照明装置１０の制御部１０１は、ＣＰＵ（Central Processing Unit）、ＲＯＭ(Read Only Memory)及びＲＡＭ（Random Access Memory）を有するマイクロコンピュータを備え、照明装置１０の各部を制御する。駆動部１０２は、電気光学パネル１２の画素１００を駆動する駆動回路を備える。駆動部１０２は、制御部１０１から供給された照明情報により画素１００毎に指定された階調とするように、画素１００を駆動する。ここでは、駆動部１０２は、線順次駆動により電気光学パネル１２の画素１００を駆動して、画素１００毎に透過率（相対透過率）を規定する。駆動部１０２が行う電気光学パネル１２の画素１００の駆動は、周知であるカラーフィルターを用いた液晶パネルの駆動と同じ方法で行われてよい。
【００１９】
記憶部１０３は、フラッシュメモリ等の記憶装置であり、照明情報を記憶する。図４に示す例では、記憶部１０３が照明情報ａ及び照明情報ｂを記憶する。照明情報ａは、照明装置１０が通常の動作をするときに使用するように設定されている。照明情報ｂは、室空間Ｓにおいて所定の事象が発生したときに使用するように設定されている。照明情報ａ及び照明情報ｂは、互いに異なる画像を電気光学パネル１２に形成するための照明情報、すなわち、互いに異なる照明光で室空間Ｓを照明するための照明情報である。照明情報ａ及び照明情報ｂの詳細については、後で説明する。
【００２０】
通信部１０４は、外部装置と通信（ここでは無線通信）するためのインタフェースである。通信部１０４は、図示せぬパーソナル・コンピュータやスマートフォン等の情報処理装置から照明情報を受信する。制御部１０１は、通信部１０４により受信した照明情報を、記憶部１０３に記憶させる。
【００２１】
電源制御部１０５は、照明装置１０の各部を動作させるための電力を供給する電源制御を行う。具体的には、電源制御部１０５は、口金１０Ａを介した商用電源から電力の供給を受けて動作する第１モードと、電池１０６からの電力の供給を受けて動作する第２モードとの一方を選択して、選択したモードに従って電源制御を行う。電源制御部１０５は、商用電源を使用する第１モードを標準（デフォルト）で選択し、制御部１０１からモードの選択の変更が指示された場合には、電池１０６を使用する第２モードに選択を変更する。
【００２２】
電池１０６は、照明装置１０に内蔵された電池（内蔵バッテリ）である。電池１０６は、充電可能な二次電池であってもよい。また、電池１０６は、照明装置１０に着脱可能な電池（例えば乾電池）であってもよい。
【００２３】
センサ部１０７は、室空間Ｓにおける所定の事象の発生を検出するセンサである。ここでは、センサ部１０７は、室空間Ｓで発生した異常を検出するセンサを備え、例えば災害（火災及び地震）、停電（商用電源からの電力供給の遮断）及びガス漏れの発生を検出する。センサ部１０７を構成する各センサの具体的構成は特に問わず、周知のセンサでよい。一例を説明すると、センサ部１０７は、マイクロフォンを備え、火災報知機やガス漏れ報知機が発した所定の報知音をマイクロフォンで収音することにより、火災やガス漏れの発生を検出する。また、センサ部１０７は、振動を検出するセンサを備え、この振動センサを用いて地震の発生を検出する。また、センサ部１０７は、停電検出器を用いて停電の発生を検出する。
【００２４】
次に、照明装置１０の制御部１０１が実現する機能構成を説明する。図４に示すように、制御部１０１は、照明情報設定部１０１Ａと、事象発生検知部１０１Ｂとに相当する機能を実現する。
照明情報設定部１０１Ａ（設定部の一例）は、照明装置１０が照明する空間領域（ここでは室空間Ｓ）に対応した照明情報を設定する。照明情報設定部１０１Ａは、通信部１０４により受信した照明情報を記憶部１０３に記憶させて、照明光の生成に使用する照明情報を設定する。
駆動部１０２は、照明情報設定部１０１Ａにより設定された照明情報に基づいて、当該照明情報が表す画像を電気光学パネル１２上に形成するように、電気光学パネル１２の画素１００を駆動する。
【００２５】
事象発生検知部１０１Ｂ（検知部の一例）は、室空間Ｓにおける所定の事象の発生を検知する。ここでは、事象発生検知部１０１Ｂは、センサ部１０７の検出結果に基づいて、室空間Ｓで発生した異常を検知する。照明情報設定部１０１Ａは、事象発生検知部１０１Ｂにより異常の発生が検知された場合、室空間Ｓに対応した照明情報を変更する。具体的には、照明情報設定部１０１Ａは、照明情報ａの設定中に、事象発生検知部１０１Ｂにより異常の発生が検知されると、照明情報ｂの設定に変更する。
【００２６】
図５は、照明装置１０が照明情報に基づいて実行する処理の流れを示すフローチャートである。図６は、室空間Ｓを天井Ｃの側から床面Ｆの方向へ平面視した図である。図６に示すように、室空間Ｓの床面Ｆには、ベッド１と、ベッド１上の枕２と、スリッパ３と、テーブル（ベッドサイドテーブル）４とが配置されている。また、室空間Ｓには、出入口であるドア５が設けられている。以下、図６に示す室空間Ｓを照明するときの照明装置１０の動作を説明する。
【００２７】
まず、照明装置１０の制御部１０１は、照明情報を設定するかどうかを判断する（ステップＳ１）。例えば、制御部１０１は、通信部１０４により照明情報の設定を指示する指示データを外部の情報処理装置から受信すると、ステップＳ１の処理で「ＹＥＳ」と判断する。ここで、制御部１０１が照明情報ａの設定の指示を受信したとする。この場合、制御部１０１は、照明情報ａを記憶部１０３に記憶させて、室空間Ｓに対応した照明情報を照明情報ａに設定する（ステップＳ２）。
なお、制御部１０１は、照明情報ｂを受信した場合には、室空間Ｓにおいて異常が発生したときに使用する照明情報として、照明情報ｂを記憶部１０３に記憶させる。
【００２８】
ところで、照明装置１０に照明情報を送信する情報処理装置は、当該照明情報を生成する機能を有する。例えば、情報処理装置は所定のアプリケーションプログラムを実行して、所定の設定画面を表示させる。この設定画面は、例えば、室空間の床面を模した画像を含む。情報処理装置の利用者は、設定画面を介して照明領域の位置や大きさ、照明領域毎の明るさ及び色（色度）を指定する操作を行う。情報処理装置は、利用者により行われた操作に応じて照明情報を生成して、照明装置１０へ送信する。
これ以外にも、照明装置１０が撮影装置を有する場合には、この撮影装置を用いて室空間Ｓを撮影して、情報処理装置の設定画面上に表示させてもよい。
照明情報の生成の際に情報処理装置が表示する設定画面や、情報処理装置の操作方法等、照明情報を生成する具体的な方法については特に問わない。
【００２９】
次に、制御部１０１は、照明を開始するかどうかを判断する（ステップＳ３）。制御部１０１は、照明装置１０の電源をオンする操作が行われる等して、照明を開始すると判断した場合（ステップＳ３；ＹＥＳ）、光源１１を点灯させて光を射出させる（ステップＳ４）。次に、制御部１０１は、ステップＳ２の処理で設定した照明情報ａに基づいて、電気光学パネル１２の画素１００を駆動する（ステップＳ５）。この駆動に応じて、電気光学パネル１２の画素１００は、光源１１が射出した光を変調する。投射レンズ１３は、電気光学パネル１２の画素１００で変調された光を照明光として、室空間Ｓの床面Ｆの方向に射出し、床面Ｆ上又は床面Ｆに置かれた物体上に投射する。
【００３０】
図７は、照明情報ａに基づいて照明された室空間Ｓを説明する図である。
図７に示すように、室空間Ｓに配置された枕２の位置に非照明領域Ｔｂが形成され、スリッパ３の位置に照明領域Ｔ２が形成され、テーブル４の位置に照明領域Ｔ３が形成され、ドア５の位置に照明領域Ｔ４が、それ以外の照明領域には照明領域Ｔ１が形成されている。例えば、照明領域Ｔ１は、緑色又は青緑色の照明光で照明するように指定されている。緑色や青緑色の光が反射等によってベッド１で就寝する人物の目に照射されても、この光は人間のまぶたを透過しにくく、人物の睡眠の妨げになりにくいからである。
【００３１】
照明領域Ｔ２は、スリッパ３の位置が把握しやすいように、例えば照明領域Ｔ１よりも明るい照明光で照明するように指定されている。照明領域Ｔ３は、テーブル４上に置かれた物が把握しやすいように、例えば照明領域Ｔ１よりも明るい照明光で照明するように指定されている。照明領域Ｔ４は、ドア５の位置が把握しやすいように、例えば、照明領域Ｔ１よりも明るい照明光で照明するように指定されている。他方、非照明領域Ｔｂには照明装置１０の照明光が到達しないので、枕２周辺は暗い環境に保たれる。
よって、照明光の生成に用いられる照明情報は、照明装置１０が設置される空間領域に対して設定された、当該空間領域特有の照明光を生成するための情報ともいえる。
なお、照明対象領域Ｔは、図７に示す例では、互いに異なる位置にある照明領域Ｔ１から照明領域Ｔ４の４つを含むが、３つ以下又は５つ以上含んでいてもよい。また、照明対象領域Ｔにおける各照明領域の大きさや形状、位置は、図７で説明した例に限定されない。
【００３２】
図５の説明に戻る。
照明装置１０の制御部１０１は、ステップＳ５の処理で電気光学パネル１２の画素１００の駆動を開始した後、照明を停止するかどうかを判断する（ステップＳ６）。制御部１０１は、照明を停止すると判断するまでは（ステップＳ６；ＮＯ）、ステップＳ５の電気光学パネル１２の画素１００の駆動を継続する。そして、制御部１０１は、照明装置１０の電源をオフする操作が行われる等して、照明を停止すると判断すると（ステップＳ６：ＹＥＳ）、光源１１を消灯させるとともに、電気光学パネル１２の画素１００の駆動を終了する。
次回以降に、照明装置１０が動作するときには、図５で説明した処理を制御部１０１が実行する。この場合に、制御部１０１が、記憶部１０３に既に記憶した照明情報ａを用いて照明光を生成すればよく、この場合、ステップＳ１の処理で「ＮＯ」と判断し、ステップＳ４以降の処理ステップを実行する。
更に、照明装置１０は、図５で説明した処理と並行して、センサ部１０７の検出結果に基づいて以下の処理を行う。
【００３３】
図８は、照明装置１０がセンサ部１０７の検出結果に基づいて実行する処理の流れを示すフローチャートである。
照明装置１０の制御部１０１は、センサ部１０７の検出結果に基づいて、室空間Ｓにおける異常の発生を検知したかどうかを判断する（ステップＳ１１）。制御部１０１は、異常の発生を検知したと判断すると（ステップＳ１１；ＹＥＳ）、第１モードから第２モードへと選択を変更して電池１０６での動作に切り替えるように、電源制御部１０５により電源制御を行う（ステップＳ１２）。ステップＳ１２の処理では、制御部１０１は、商用電源から電池１０６へと電源を変更するように電源制御部１０５に指示する。室空間Ｓにおいて異常が発生した場合には、商用電源からの電力の供給が停止される可能性があるため、制御部１０１は電源を切り替える制御を行う。
なお、ステップＳ１２の処理で、制御部１０１は、検知した異常の種類に応じて、電源制御に関するモードの変更の有無を異ならせてもよい。例えば、制御部１０１は、火災や地震等の災害又は停電を検知した場合には、電源を電池１０６へと切り替える一方で、ガス漏れを検知した場合には、商用電源を使用し続ける。
【００３４】
次に、制御部１０１は、室空間Ｓに対応した照明情報を、照明情報ａから照明情報ｂに変更する（ステップＳ１３）。そして、制御部１０１は、照明情報ｂに基づいて、電気光学パネル１２の画素１００を駆動する（ステップＳ１４）。この駆動に応じて、電気光学パネル１２の画素１００は、光源１１が射出した光を変調する。投射レンズ１３は、電気光学パネル１２の画素１００で変調された光を照明光として、室空間Ｓの床面Ｆの方向に射出し、床面Ｆ上又は床面Ｆに置かれた物体上に投射する。
【００３５】
図９は、照明情報ｂに基づいて照明された室空間Ｓを説明する図である。
図９に示す例では、照明情報ａの場合と同様、照明装置１０は、照明領域Ｔ１から照明領域Ｔ４及び非照明領域Ｔｂを形成することに加えて、ベッド１から見てドア５の方向を向く矢印形状の照明領域Ｔｉを、床面Ｆ上に形成する。室空間Ｓにおいて何らかの異常が発生した場合には、室空間Ｓに居る人物が、屋外等へ避難する必要がある場合があるためである。
なお、ここでは、照明装置１０は、照明情報ａと照明情報ｂとで一部の照明領域を同じとして照明しているが、この例に限られず、互いの照明領域の全てが異なっていてもよい。
【００３６】
図８の説明に戻る。
照明装置１０の制御部１０１は、ステップＳ１４の処理で電気光学パネル１２の画素１００の駆動を開始した後、照明情報ｂに基づく照明を停止するかどうかを判断する（ステップＳ１５）。制御部１０１は、照明を停止すると判断するまでは（ステップＳ１５；ＮＯ）、ステップＳ１４の電気光学パネル１２の画素１００の駆動を継続する。そして、制御部１０１は、センサ部１０７により異常の発生を検知しなくなる等して、照明情報ｂに基づく照明を停止すると判断すると（ステップＳ１５：ＹＥＳ）、照明情報ｂに基づく照明を停止する。この場合、制御部１０１は、照明情報ａに基づく照明に戻してもよいし、光源１１を消灯させるとともに、電気光学パネル１２の画素１００の駆動を終了してもよい。
【００３７】
以上説明した実施形態の照明装置１０は、照明光を生成するための光源１１が射出した光を、予め設定した照明情報に基づいて電気光学パネル１２の画素１００で変調することにより、直線的に進む照明光を生成する。この照明光の生成により、照明装置１０は、空間領域内の場所毎に、明るさ及び色を個別に指定した照明光を照射する。よって、照明装置１０によれば、単一の光源装置であっても、空間領域固有の照明光を生成し、当該空間領域内の場所毎に照明の方法を異ならせることができる。
【００３８】
本発明は、上述した実施形態と異なる形態で実施することが可能である。また、以下に示す変形例は、各々を適宜に組み合わせてもよい。
上述した実施形態では、制御部１０１は、火災や地震以外の災害の発生を検知してもよいし、災害以外の異常として停電及びガス漏れ以外の異常の発生を検知してもよい。すなわち、制御部１０１が検知する事象の種類については特に問わない。
また、制御部１０１は、通信部１０４により異常の発生を報知する報知信号を受信した場合に、その報知信号に基づいて異常の発生を検知してもよい。すなわち、事象発生検知部１０１Ｂは、センサ部１０７を使用しないで、異常の発生を検知してもよい。
【００３９】
また、制御部１０１は、室空間Ｓ利用者により設定された室空間Ｓの利用目的に応じて、照明情報の設定を変更してもよい。制御部１０１は、例えば、上述した実施形態で説明した就寝時に選択される睡眠モードや、映画鑑賞を行うときに選択されるシアターモード等の、室空間Ｓの利用目的に応じたモードが設定されると、設定されたモードに応じた照明情報に設定する。すなわち、照明装置１０は、常夜灯としての使用に限定されない。
また、制御部１０１は、時刻（例えば利用者の設定時刻）や季節等の時期に応じて、照明情報の設定を変更してもよい。
【００４０】
上述した実施形態では、制御部１０１は、通信部１０４により受信した照明情報を、室空間Ｓに対応した照明情報に設定していた。これに代えて、制御部１０１は、予め決められた複数の照明情報を記憶部１０３に記憶しており、これらの複数の照明情報の中のいずれかを、室空間Ｓに対応した照明情報に設定してもよい。例えば、照明装置１０は、照明情報を選択するための操作を受け付けて照明情報を設定する。
また、照明装置１０が２つ以上設置される場合に、これらの２つ以上の照明装置１０が同一の照明情報に基づいて照明光を生成してもよい。
【００４１】
上述した実施形態では、照明装置１０は、天井Ｃに取り付けられていたが、側壁部Ｗ等の、天井Ｃ以外の場所に設置されてもよい。また、照明装置１０は、床面Ｆ方向だけでなく、側壁面Ｗの方向に照明光を射出してもよい。
室空間Ｓは、住宅の室空間（居室や寝室）ではなく、ホテル等の室空間（客室）であってもよいし、飛行機や電車等の乗り物の室空間であってもよい。また、照明装置１０が照明する空間領域は、室空間に限らず、例えば屋外空間であってもよく、実空間の空間領域であればよい。
【００４２】
本発明の照明装置は、電球形状の照明装置に限られず、ダウンライトその他の照明装置として機能してもよい。また、本発明の照明装置は、埋め込み型の照明装置で実現されてもよい。
また、照明装置１０は、所定の事象の発生を検知して照明情報を変更する構成や、電源制御のモードを変更する構成を備えなくてもよい。
【００４３】
照明装置１０は、フレームを、Ｒ色、Ｇ色及びＢ色の３原色のいずれかにそれぞれ対応させた複数フィールドに時分割して、フィールド毎に対応する色成分の画像を形成することにより、照明光を生成してもよい（例えばフィールドシーケンシャル駆動を行う）。
また、照明装置１０は、複数の色成分の各色成分に対応する複数の電気光学パネル１２を有する構成であってもよい。この場合、照明装置１０は、複数の電気光学パネル１２の画素１００で変調された各色成分の照明光を、ダイクロイックプリズム等の手段を用いて合成して、投射レンズ１３から射出する。
照明装置１０は、複数の色成分の照明光を生成しなくてもよい。この場合、照明装置１０は、照明対象領域Ｔの複数の照明領域で色を同じとし、照明情報に基づいて明るさを指定した照明光を生成する。また、照明装置１０は、照明情報に基づいて、照明対象領域Ｔの複数の照明領域の照明量毎に色を指定して、照明光を生成してもよい。
照明装置１０の光源１１は、発光ダイオードでなくてもよく、例えば、半導体レーザーやハロゲンランプ等の白色光源であってもよい。
また、電気光学パネル１２は、液晶パネルでなくてもよく、例えば、ＤＭＤ（Digital Mirror Device）等の、入射した光を変調する光変調素子を少なくとも備えていればよい。
【符号の説明】
【００４４】
１０…照明装置、１０Ａ…口金、１００…画素、１０１…制御部、１０１Ａ…照明情報設定部、１０１Ｂ…事象発生検知部、１０２…駆動部、１０３…記憶部、１０４…通信部、１０５…電源制御部、１０６…電池、１０７…センサ部、１１…光源、１２…電気光学パネル、１３…投射レンズ。
【図１】
2015072416.tif 000003
【図２】
2015072416.tif 000004
【図３】
2015072416.tif 000005
【図４】
2015072416.tif 000006
【図５】
2015072416.tif 000007
【図６】
2015072416.tif 000008
【図７】
2015072416.tif 000009
【図８】
2015072416.tif 000010
【図９】
2015072416.tif 000011